(57)【要約】【課題】キャリッジが高速移動しても、リボン引っかけを抑制することができる記録装置及びリボンカートリッジを提供する。【解決手段】キャリッジ１９に搭載された記録ヘッド１８に複数の記録ワイヤを備え、これらの記録ワイヤの突出動作により、ステーショナリー型式のリボンカートリッジから送り出されるインクリボンを介して、シートに画像を記録する記録装置において、リボンカートリッジが順方向及び逆方向にそれぞれインクリボンを巻き取るための一対の駆動ローラを備え、記録装置本体が一対の駆動ローラに対応した一対のリボン巻き取り軸５１Ａ，５１Ｂを備えた。【選択図】　　　図１
2004074520.tif 000002
【特許請求の範囲】
【請求項１】
キャリッジに搭載された記録ヘッドに複数の記録ワイヤを備え、これらの記録ワイヤの突出動作により、ステーショナリー型式のリボンカートリッジから送り出されるインクリボンを介して、シートに画像を記録する記録装置において、前記リボンカートリッジが順方向及び逆方向にそれぞれインクリボンを巻き取るための一対の駆動ローラを備え、記録装置本体が一対の駆動ローラに対応した一対のリボン巻き取り軸を備えたことを特徴とする記録装置。
【請求項２】
キャリッジの移動方向とインクリボンの送り方向を一致させる手段を備えたことを特徴とする請求項１記載の記録装置。
【請求項３】
順方向と逆方向とでインクリボンの送り速度を変化させる手段を備えたことを特徴とする請求項１又は２記載の記録装置。
【請求項４】
順方向のインクリボンの送り速度を逆方向の送り速度よりも速く設定したことを特徴とする請求項３記載の記録装置。
【請求項５】
インクリボンの送り速度を一定とし、キャリッジの移動を一時的に停止させてインクリボンを順方向に強制的に送る手段を備えたことを特徴とする請求項１又は２記載の記録装置。
【請求項６】
インクリボンを強制的に送る時の送り速度を前記一定とした送り速度よりも速く設定したことを特徴とする請求項５記載の記録装置。
【請求項７】
記録領域外の待機位置に一時的にキャリッジを停止させることを特徴とする請求項５又は６記載の記録装置。
【請求項８】
インクリボンの送り速度を一定とし、キャリッジの送り速度を一時的に低下させてインクリボンを順方向に強制的に送る手段を備えたことを特徴とする請求項１又は２記載の記録装置。
【請求項９】
インクリボンを強制的に送る時の送り速度を前記一定とした送り速度よりも速く設定したことを特徴とする請求項８記載の記録装置。
【請求項１０】
ステーショナリー型式のリボンカートリッジであって、順方向及び逆方向にそれぞれインクリボンを巻き取るための一対の駆動ローラを備えたことを特徴とするリボンカートリッジ。
【請求項１１】
一対の駆動ローラがそれぞれ対応した従動ローラを備えたことを特徴とする請求項１０記載のリボンカートリッジ。
【発明の詳細な説明】
【０００１】
【発明の属する技術分野】
本発明は、インクリボンを収納したリボンカートリッジ、及びそれを用いた記録装置に関する。
【０００２】
【従来の技術】
一般に、キャリッジに搭載された記録ヘッドに複数の記録ワイヤを備え、これらの記録ワイヤの突出動作により、ステーショナリー型式のリボンカートリッジから送り出されるインクリボンを介して、シートに画像を記録するドットインパクトプリンタが知られている。
【０００３】
この種のものでは、近年、記録の高速化が課題となっており、キャリッジが高速移動する機種が開発されている。
【０００４】
【発明が解決しようとする課題】
ところで、ドットインパクトプリンタでは、記録ワイヤがインクリボンに衝突することによって記録が行われるため、キャリッジとインクリボンの相対速度が高速化した場合、衝突時間中に移動する距離が一定量を超え、リボン引っかけを起こすという問題がある。
【０００５】
また、従来の機構では、インクリボンの送り方向が順方向のみとなっているため、往復移動するキャリッジの戻り時には、キャリッジの移動方向とインクリボンの送り方向が逆方向となり、相対速度がさらに高速化し、特にリボンを引っかけ易くなるという問題がある。
【０００６】
そこで、本発明の目的は、上述した従来の技術が有する課題を解消し、キャリッジが高速移動しても、リボン引っかけを抑制することができる記録装置及びリボンカートリッジを提供することにある。
【０００７】
【課題を解決するための手段】
請求項１記載の発明は、キャリッジに搭載された記録ヘッドに複数の記録ワイヤを備え、これらの記録ワイヤの突出動作により、ステーショナリー型式のリボンカートリッジから送り出されるインクリボンを介して、シートに画像を記録する記録装置において、前記リボンカートリッジが順方向及び逆方向にそれぞれインクリボンを巻き取るための一対の駆動ローラを備え、記録装置本体が一対の駆動ローラに対応した一対のリボン巻き取り軸を備えたことを特徴とする。
【０００８】
請求項２記載の発明は、請求項１記載のものにおいて、キャリッジの移動方向とインクリボンの送り方向を一致させる手段を備えたことを特徴とする。
【０００９】
請求項３記載の発明は、請求項１又は２記載のものにおいて、順方向と逆方向とでインクリボンの送り速度を変化させる手段を備えたことを特徴とする。
【００１０】
請求項４記載の発明は、請求項３記載のものにおいて、順方向のインクリボンの送り速度を逆方向の送り速度よりも速く設定したことを特徴とする。
【００１１】
請求項５記載の発明は、請求項１又は２記載のものにおいて、インクリボンの送り速度を一定とし、キャリッジの移動を一時的に停止させてインクリボンを順方向に強制的に送る手段を備えたことを特徴とする。
【００１２】
請求項６記載の発明は、請求項５記載のものにおいて、インクリボンを強制的に送る時の送り速度を前記一定とした送り速度よりも速く設定したことを特徴とする。
【００１３】
請求項７記載の発明は、請求項５又は６記載のものにおいて、記録領域外の待機位置に一時的にキャリッジを停止させることを特徴とする。
【００１４】
請求項８記載の発明は、請求項１又は２記載のものにおいて、インクリボンの送り速度を一定とし、キャリッジの送り速度を一時的に低下させてインクリボンを順方向に強制的に送る手段を備えたことを特徴とする。
【００１５】
請求項９記載の発明は、請求項８記載のものにおいて、インクリボンを強制的に送る時の送り速度を前記一定とした送り速度よりも速く設定したことを特徴とする。
【００１６】
請求項１０記載の発明は、ステーショナリー型式のリボンカートリッジであって、順方向及び逆方向にそれぞれインクリボンを巻き取るための一対の駆動ローラを備えたことを特徴とする。
【００１７】
請求項１１記載の発明は、請求項１０記載のものにおいて、一対の駆動ローラがそれぞれ対応した従動ローラを備えたことを特徴とする。
【００１８】
【発明の実施の形態】
以下、本発明の実施の形態を、図面に基づき説明する。
【００１９】
図１及び図２に示す記録装置としてのプリンタ１０は、記録ヘッドの図示しない多数の記録ワイヤを、インクリボン３１（図２）を介してシートＳに打ち付けてドットを記録することにより、文字を含む画像を印刷するドットインパクトプリンタである。ここで、シートＳは、単票紙や連続紙などの普通紙の他に、ＯＨＰ（オーバーヘッドプロジェクト）シートやコート紙、フィルムなどである。プリンタ１０は、記録装置本体としてのプリンタ本体１１と、このプリンタ本体１１に着脱自在に装着されたプッシュトラクタユニット１２及び排出ユニット１３と、同じくプリンタ本体１１に着脱自在に装着されたシート供給ガイド３４（図２）と、プリンタ本体１１の上方、下方を覆う図示しないアッパーケース及びロアケースと、を有して構成される。
【００２０】
上記プリンタ本体１１は、本体フレームとしてのベースフレーム１４、シート案内フレーム１５（図２）、左サイドフレーム１６及び右サイドフレーム１７と、記録ヘッド１８及びキャリッジ１９を備えた印刷機構部２０と、プラテン２１、シート案内２２及びピンチローラ２５（図２）を備えたシート搬送機構部２３と、を有して構成される。
【００２１】
ベースフレーム１４及びシート案内フレーム１５は、図２に示すようにほぼ平行配置され、これらのベースフレーム１４及びシート案内フレーム１５の両端に上記左サイドフレーム１６、右サイドフレーム１７がそれぞれ立設して固定される。これらの左サイドフレーム１６と右サイドフレーム１７間に、図１に示すように、キャリッジガイド軸２４が架け渡されて回動可能に枢支され、プラテン２１が架け渡されて回転自在に配設されている。シート案内２２は、左サイドフレーム１６と右サイドフレーム１７との間に配設されて、シート案内フレーム１５に嵌合して固定されている。また、左サイドフレーム１６及び右サイドフレーム１７の後方部、上方部それぞれには、前記プッシュトラクタユニット１２、排出ユニット１３をそれぞれ装着可能な図示しないトラクタユニット装着部、排出ユニット装着部が設けられている。
【００２２】
図１に示すプッシュトラクタユニット１２は、シートＳとしての連続紙をシート搬送機構部２３へ送り出し、シート供給ガイド３４は、シートＳとしての単票紙を１枚ずつシート搬送機構部２３へ供給する。また、排出ユニット１３は、連続紙または単票紙をシート搬送機構部２３からプリンタ１０外へ引き出すものである。つまり、図２に示すように、プッシュトラクタユニット１２のトラクタベルト２６の回転により、このトラクタベルト２６のピン２７の作用で、連続紙は、シート搬送機構部２３のシート案内２２に案内され、このシート案内２２とプラテン２１との間に形成されるシート搬送経路２８を経てプラテン２１の前方へ向かい、矢印α方向に送給される。
【００２３】
このプッシュトラクタユニット１２の非動作時に、シート供給ガイド３４から単票紙が１枚ずつ、シート搬送経路２８を経てプラテン２１の前方へ供給可能とされる。また、排出ユニット１３の排出ローラ２９の回転により、後述のごとく、記録ヘッド１８により文字等が記録された連続紙または単票紙は、シート搬送機構部２３のプラテン２１から矢印β方向に引き出される。
【００２４】
これにより、連続紙または単票紙は、キャリッジ１９の後述の主走査方向に直交する副走査方向に搬送される。
【００２５】
図１に示す前記キャリッジ１９は、キャリッジガイド軸２４に摺動自在に挿通されると共に、記録ヘッド１８を搭載する。
【００２６】
キャリッジガイド軸２４がプラテン２１と平行に配置されることから、キャリッジ１９は、これらのプラテン２１及びキャリッジガイド軸２４の軸方向と一致する主走査方向に移動（走行）可能に設けられる。
【００２７】
図示しないキャリッジ駆動モータの正転または逆転により、キャリッジ１９は、タイミングベルト３０（図２）を介しキャリッジガイド軸２４に案内されて、主走査方向における図１の左向きまたは右向きに走行される。
【００２８】
前記記録ヘッド１８は多数の記録ワイヤ（不図示）を備え、これらの記録ワイヤの突出方向前方にインクリボン３１が位置する。記録ヘッド１８はキャリッジ１９と共に主走査方向に走行する間に、記録ワイヤを突出動作させてインクリボン３１に打ち当て、インクリボン３１のインクを、プラテン２１とインクリボン３１との間に搬送されるシートＳ（連続紙または単票紙）に付着させて、このシートＳに文字を含む画像を記録する。
【００２９】
この記録ヘッド１８によるこの記録動作は、キャリッジ１９が主走査方向左向きまたは右向きに走行する間に、記録ヘッド１８の記録ワイヤにより一行分の記録がなされ、この一行分の記録がなされる度に、シートＳが連続紙の場合には、図２に示すシート搬送機構部２３のプラテン２１、プッシュトラクタユニット１２及び排出ユニット１３が、また、シートＳが単票紙の場合には、シート搬送機構部２３のプラテン２１、ピンチローラ２５及び排出ユニット１３がそれぞれシートＳを所定量（通常行間分）搬送させ、これらの動作が繰り返されることにより実施される。
【００３０】
図２に示す符号３２は、ベースフレーム１４とシート案内フレーム１５との間に開口して形成されて、プリンタ１０の下方からシート搬送機構部２３内へシートＳを供給するためのボトムシート供給口である。
【００３１】
また、プラテン２１、プッシュトラクタユニット１２及び排出ユニット１３の駆動制御と、キャリッジ１９の走行制御と、記録ヘッド１８の記録ワイヤによる記録動作の制御は、制御装置としての制御基板部３３（図２）により実施される。この制御基板部３３は、例えばプリンタ本体１１の後方におけるシート案内フレーム１５の下方に配置される。
【００３２】
さて、本実施形態では、インクリボン３１がいわゆるステーショナリー型式のリボンカートリッジに収納される。
【００３３】
図３は、ステーショナリー型式のリボンカートリッジを示す。このリボンカートリッジ４０は、インクリボン３１を折り畳んだ状態で収納するカートリッジケース４２を備えている。このカートリッジケース４２の内側には、順方向（矢印Ａ方向）及び逆方向（矢印Ｂ方向）にそれぞれインクリボン３１を巻き取るための一対の駆動ローラ４５Ａ，４５Ｂと、これら駆動ローラ４５Ａ，４５Ｂにそれぞれ圧接する従動ローラ４６Ａ，４６Ｂと、当該駆動ローラ４５Ａ，４５Ｂへのインクリボン３１の巻き込みを防止するリボンセパレータ４７Ａ，４７Ｂと、カートリッジケース４２に戻るインクリボン３１にリインクするリインク機構４９Ａ，４９Ｂとが設けられている。これらリインク機構４９Ａ，４９Ｂは、インクが含浸されたインクパッド部６１と、このインクパッド部６１に一体的に連なる供給部６３とを備えて構成され、この供給部６３は、駆動ローラ４５Ａ，４５Ｂの外周部に接触してインクを供給する。
【００３４】
リボンカートリッジ４０は、図２に二点鎖線で示すように、板面がほぼ水平になるように、かつカートリッジケース４２の外側に送り出されたインクリボン３１が、記録ヘッド１８とプラテン２１間に位置するように装着される。このリボンカートリッジ４０は、ベースフレーム１４から上方に延出した一対のリボン巻き取り軸５１Ａ，５１Ｂ（図１）を、対応した駆動ローラ４５Ａ，４５Ｂの軸孔（不図示）に挿入して装着される。そして、一対のリボン巻き取り軸５１Ａ，５１Ｂは、個別に駆動モータ（不図示）を有し、一方のリボン巻き取り軸５１Ａが駆動されると、駆動ローラ４５Ａ（図３）が例えば時計方向に回転し、インクリボン３１が順方向（矢印Ａ方向）に巻き取られ、他方のリボン巻き取り軸５１Ｂが駆動されると、駆動ローラ４５Ｂが例えば反時計方向に回転し、インクリボン３１が逆方向（矢印Ｂ方向）に巻き取られる。
【００３５】
つぎに、この実施形態の動作を説明する。
【００３６】
このドットインパクトプリンタ１０は、記録ヘッド１８がキャリッジ１９と共に主走査方向に走行する間に、記録ワイヤを突出動作させてインクリボン３１に打ち当て、インクリボン３１のインクを、プラテン２１とインクリボン３１との間に搬送されるシートＳに付着させて、このシートＳに文字を含む画像を記録する。この例では、キャリッジ１９が主走査方向左向きまたは右向きに走行する間に、記録ヘッド１８の記録ワイヤにより一行分の記録がなされ、この一行分の記録がなされる度に、シートＳを所定量（通常行間分）搬送させ、これらの動作の繰り返しにより実施される。
【００３７】
この種のものでは、記録ワイヤ１８をインクリボン３１に衝突させて、シートＳに記録を行なうため、キャリッジ１９が高速移動する場合、衝突時間中に移動するキャリッジ１９の移動距離が一定量を超えて、記録ワイヤによるリボン引っかけを起こすおそれがある。
【００３８】
本実施形態では、キャリッジ１９の移動方向とインクリボン３１の送り方向とが完全に一致するように制御される。即ち、キャリッジ１９が主走査方向左向きに走行する場合インクリボン３１が左向きに送られ、キャリッジ１９が右向きに走行する場合インクリボン３１が右向きに送られる。この構成では、往復動するキャリッジ１９の往時、復時、いずれもキャリッジ１９の移動方向とインクリボン３１の送り方向とが同一方向となるため、相対速度が遅くなり、記録ワイヤによるリボン引っかけが抑制される。
【００３９】
また、インクリボン３１を、順方向、逆方向、交互に送る構成となると、インクリボン３１の狭い領域に重複して記録ワイヤが打ち込まれる。そこで、順方向と逆方向とで、インクリボン３１の送り速度が可変される。例えば、順方向の送り速度を、逆方向の送り速度より速めれば、記録時間の経過と共に、インクリボン３１が相対的に順方向に送られる。これによれば、インクリボン３１に重複して記録ワイヤが打ち込まれることが少なくなり、インクリボン３１を全長に亘って均等使用することができる。
【００４０】
別の実施形態として、順方向と、逆方向とで、インクリボン３１の送り速度を一定とし、この状態で何往復か記録を実行し、例えば、何回目かの順方向の時に、キャリッジ１９を記録領域外の例えばホームポジション等の待機位置に一旦待機させて、インクリボン３１を順方向に強制的に送る制御としてもよい。この強制的に送る時の送り速度は、一定とした上記インクリボン３１の送り速度よりも速く設定してもよい。
【００４１】
上記構成では、記録時間の経過と共に、インクリボン３１が相対的に順方向に送られるため、インクリボン３１に重複して記録ワイヤが打ち込まれることが少なくなり、上記実施形態と同様にインクリボン３１を全長に亘って均等使用することができる。
【００４２】
或いは、別の実施形態として、順方向と、逆方向とで、インクリボン３１の送り速度を一定とし、この状態で何往復か記録を実行し、例えば、何回目かの順方向の時に、キャリッジ１９の送り速度を低下させて、インクリボン３１を強制的に送る制御としてもよい。この強制的に送る時の送り速度は、一定とした上記インクリボン３１の送り速度よりも速く設定してもよい。
【００４３】
この構成でも、記録時間の経過と共に、インクリボン３１が相対的に順方向に送られるため、上記実施形態と同様にインクリボン３１を全長に亘って均等使用することができる。
【００４４】
以上、一実施形態に基づいて本発明を説明したが、本発明は、これに限定されるものでないことは明らかである。
【００４５】
【発明の効果】
本発明では、リボンカートリッジが順方向及び逆方向にそれぞれインクリボンを巻き取るための一対の駆動ローラを備え、一対の駆動ローラに対応した一対のリボン巻き取り軸を備えたため、キャリッジが高速移動しても、リボン引っかけを抑制することができる
【図面の簡単な説明】
【図１】本発明に係る記録装置の一実施の形態が適用されたドットインパクトプリンタのプリンタ本体を示す断面図である。
【図２】図１のプリンタ本体を示す斜視図である。
【図３】リボンカートリッジの平面図である。
【符号の説明】
１０　プリンタ（記録装置）
１８　記録ヘッド
１９　キャリッジ
３１　インクリボン
４０　リボンカートリッジ
４２　カートリッジケース
４５Ａ，４５Ｂ　駆動ローラ
４６Ａ，４６Ｂ　従動ローラ
５１Ａ，５１Ｂ　リボン巻き取り軸
【図１】
2004074520.tif 000003
【図２】
2004074520.tif 000004
【図３】
2004074520.tif 000005